(57)【要約】【課題】安価な構成で、ジャム除去を容易に行うことができる開閉機構を備えた画像形成装置を提供する。【解決手段】開口部が形成された筐体と、前記筐体に設けられた第１の位置決め部と、前記筐体に設けられた第２の位置決め部と、回動中心を中心に回動することにより、前記開口部を閉塞する閉位置と前記開口部を開放する開位置との間を移動可能に構成された開閉扉と、回動軸を有し前記筐体に回動可能に支持された第１の搬送ユニットと、前記開閉扉が閉位置に移動する際に、前記開閉扉の開閉方向とは交わる方向である前記開閉扉の回動中心に接近または離間する方向に移動可能に支持された第２の搬送ユニットと、を備え、前記開閉扉が前記開位置から前記閉位置へ移動する際に、前記第１の搬送ユニットが前記第１の位置決め部に係合して位置決めされた後に、前記第２の搬送ユニットが前記第２の位置決め部に係合して位置決めされる。【選択図】図５
2014139601.tif 000002
【特許請求の範囲】
【請求項１】
開口部が形成された筐体と、
前記筐体に設けられた第１の位置決め部と、
前記筐体に設けられた第２の位置決め部と、
回動中心を中心に回動することにより、前記開口部を閉塞する閉位置と前記開口部を開放する開位置との間を移動可能に構成された開閉扉と、
回動軸を有し前記筐体に回動可能に支持された第１の搬送ユニットと、
前記開閉扉が閉位置に移動する際に、前記開閉扉の開閉方向とは交わる方向である前記開閉扉の回動中心に接近または離間する方向に移動可能に支持された第２の搬送ユニットと、を備え、
前記開閉扉が前記開位置から前記閉位置へ移動する際に、前記第１の搬送ユニットが前記第１の位置決め部に係合して位置決めされた後に、前記第２の搬送ユニットが前記第２の位置決め部に係合して位置決めされる、
ことを特徴とする画像形成装置。
【請求項２】
前記開閉扉が前記開口部に対向する内面側に突出した案内部を備え、
前記開閉扉が前記閉位置に移動する際に、前記第１の搬送ユニットに設けられた被案内部が前記案内部に接触して案内されることで、前記開閉扉が閉位置に移動した場合において、前記第１の搬送ユニットが前記第１の位置決め部に係合して位置決めされる、
ことを特徴とする請求項１に記載の画像形成装置。
【請求項３】
前記開閉扉の案内部が、前記第１の搬送ユニットの被案内部を前記開閉扉の開閉方向に案内する第１の案内面と、前記第１の搬送ユニットの被案内部を前記開閉扉の開閉方向とは交わる方向に案内する第２の案内面と、前記搬送ユニットの被案内部を前記開閉扉の開閉方向とは交わる方向に支持する第３の案内面と、からなり、
前記第３の案内面が断面Ｒ形状とされている、
ことを特徴とする請求項２に記載の画像形成装置。
【発明の詳細な説明】
【技術分野】
【０００１】
本発明は、画像形成装置に関する。
【背景技術】
【０００２】
装置本体が、不動部筐体に対して下側を中心に転写紙搬送経路が開放可能な前部筐体を有し、不動部筐体には複数の現像ユニットを設置し、プロセスカートリッジを前部筐体の開放方向と同一方向に回動可能とする保持回動部材を不動部筐体に設けたカラー画像形成装置が知られている（特許文献１）。
開閉扉の内側に設けた搬送ユニットが、開閉扉の開放時には開閉方向と平行な面内で所定の範囲で移動自在であり、閉止時には支軸及びピンが本体フレームに設けた溝部に係合して位置決めされ、開閉扉を開放したとき、搬送ユニットも開閉扉と連動して移動し、転写部を含む用紙搬送経路が大きく開放され、また、搬送ユニットのガイド部と開閉扉の内側のガイド部とで構成されている両面搬送経路も開放される画像形成装置も知られている（特許文献２）。
【先行技術文献】
【特許文献】
【０００３】
【特許文献１】特開平０９−１７１３３８号公報
【特許文献２】特開２００８−２１６５９５号公報
【発明の概要】
【発明が解決しようとする課題】
【０００４】
本発明は、開閉扉の変形を抑制する画像形成装置を提供することを目的とする。
【課題を解決するための手段】
【０００５】
前記課題を解決するために、請求項１記載の画像形成装置は、
開口部が形成された筐体と、
前記筐体に設けられた第１の位置決め部と、
前記筐体に設けられた第２の位置決め部と、
回動中心を中心に回動することにより、前記開口部を閉塞する閉位置と前記開口部を開放する開位置との間を移動可能に構成された開閉扉と、
回動軸を有し前記筐体に回動可能に支持された第１の搬送ユニットと、
前記開閉扉が閉位置に移動する際に、前記開閉扉の開閉方向とは交わる方向である前記開閉扉の回動中心に接近または離間する方向に移動可能に支持された第２の搬送ユニットと、を備え、
前記開閉扉が前記開位置から前記閉位置へ移動する際に、前記第１の搬送ユニットが前記第１の位置決め部に係合して位置決めされた後に、前記第２の搬送ユニットが前記第２の位置決め部に係合して位置決めされる、
ことを特徴とする。
【０００６】
請求項２記載の発明は、請求項１に記載の画形成装置において、
前記開閉扉が前記開口部に対向する内面側に突出した案内部を備え、
前記開閉扉が前記閉位置に移動する際に、前記第１の搬送ユニットに設けられた被案内部が前記案内部に接触して案内されることで、前記開閉扉が閉位置に移動した場合において、前記第１の搬送ユニットが前記第１の位置決め部に係合して位置決めされる、
ことを特徴とする。
【０００７】
請求項３記載の発明は、請求項２に記載の画像形成装置において、
前記開閉扉の案内部が、前記第１の搬送ユニットの被案内部を前記開閉扉の開閉方向に案内する第１の案内面と、前記第１の搬送ユニットの被案内部を前記開閉扉の開閉方向とは交わる方向に案内する第２の案内面と、前記搬送ユニットの被案内部を前記開閉扉の開閉方向とは交わる方向に支持する第３の案内面と、からなり、
前記第３の案内面が断面Ｒ形状とされている、
ことを特徴とする。
【発明の効果】
【０００８】
請求項１に記載の発明によれば、本発明の構成を有しない場合に比べて、開閉部材の変形を抑制することができる。
請求項２に記載の発明によれば、本発明の構成を有しない場合に比べて、安価な構成で、ジャム除去を容易に行うことができる開閉機構を提供することができる。
請求項３に記載の発明によれば、本発明の構成を有しない場合に比べて、開閉扉の開閉操作を容易に行うことができる。
【図面の簡単な説明】
【０００９】
【図１】画像形成装置１の内部構成を示す縦断面模式図である。
【図２】画像形成装置１の用紙搬送部の内部構成と用紙搬送を示す断面模式図である。
【図３】画像形成装置１の用紙搬送部の部分断面模式図である。
【図４】開閉扉１１０の閉動作による用紙搬送ユニット５０の移動を説明するための部分模式図である。
【図５】開閉扉１１０の閉動作による用紙搬送ユニット５０及び転写搬送ユニット６０の移動を説明するための全体模式図である。
【発明を実施するための形態】
【００１０】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
尚、以後の説明の理解を容易にするために、図面において、前後方向をＸ軸方向、左右方向をＹ軸方向、上下方向をＺ軸方向とする。
【００１１】
（１）画像形成装置の全体構成及び動作
図１は本実施形態に係る画像形成装置１の内部構成を示す縦断面模式図である。
以下、図面を参照しながら、画像形成装置１の全体構成及び動作を説明する。
【００１２】
画像形成装置１は、筐体１００内に、制御ユニット１０、給紙ユニット２０、感光体ユニット３０、現像ユニット４０、用紙搬送ユニット５０、転写搬送ユニット６０、定着ユニット７０等を備えて構成されている。画像形成装置１の上面（Ｚ方向）には、画像が記録された用紙が排出・収容される排出トレイ部Ｔが形成されている。さらに、画像形成装置１の後面（Ｘ方向）には、用紙が紙詰まりした際の除去や内部の点検等をする場合に、画像形成装置１内部を開放する開閉扉１１０が回転可能に支持されている。
【００１３】
制御ユニット１０は、画像形成装置１の動作を制御するコントローラ１１と、コントローラ１１により作動を制御される画像処理装置１２、電源装置１３等を有する。電源装置１３は、後述する帯電ローラ３２、現像ローラ４２、転写ローラ６２等に電圧を印加する。
画像処理装置１２は、外部の情報送信装置（例えばパーソナルコンピュータ等）から入力された印刷情報を潜像形成用の画像情報に変換して予め設定されたタイミングで、駆動信号を露光装置ＬＨに出力する。本実施形態の露光装置ＬＨは、ＬＥＤ（Light  Emitting  Diode）が線状に配置されたＬＥＤヘッドにより構成されている。
【００１４】
画像形成装置１の底部には、給紙ユニット２０が設けられている。給紙ユニット２０は、用紙積載板２１を備え、用紙積載板２１の上面には多数の記録媒体としての用紙が積載される。用紙積載板２１に積載され、規制板（不図示）で幅方向位置が決められた用紙は、上側から１枚ずつ用紙引き出し部２２により前方（−Ｘ方向）に引き出された後、第１の搬送ユニットとしての用紙搬送ユニット５０に形成された用紙案内ガイド５１を経由して駆動ローラ２４ａと従動ローラ２４ｂとからなる搬送ローラ対２４の接触部まで搬送される。用紙案内ガイド５１は湾曲した形状を成し、用紙引き出し部２２により引き出された用紙を搬送ローラ対２４に向けて導く。
【００１５】
感光体ユニット３０は、給紙ユニット２０の上方（Ｚ方向）に設けられ、回転駆動する像保持体としての感光体ドラム３１を備えている。感光体ドラム３１の回転方向にそって、帯電ローラ３２、露光装置ＬＨ、現像ユニット４０、転写ローラ６２、クリーニングブレード３４が配置されている。帯電ローラ３２には、帯電ローラ３２の表面をクリーニングするクリーニングローラ３３が対向、接触して配置されている。
【００１６】
現像ユニット４０は、内部に現像剤が収容される現像ハウジング４１を有する。現像ハウジング４１内には、感光体ドラム３１に対向して配置された現像ローラ４２と、この現像ローラ４２の背面側斜め下方には現像剤を現像ローラ４２側へ撹拌搬送するパドルホイール４３が配置されている。更に、このパドルホイール４３の背面側には撹拌搬送用の一対のオーガ４４、４５が配設されている。現像ローラ４２には、現像剤の層厚を規制する層規制ロール４６が近接配置されている。
【００１７】
現像ハウジング４１の前側（Ｘ方向）上面には、トナー補給口４１ｃが形成されており、トナー補給口４１ｃには、前方に延びるトナー補給機構４７が連結されている。トナー補給機構４７内部には、補給オーガ４８が回転可能に支持されている。トナー補給機構４７の前端には、カートリッジホルダ４９が連結されており、トナーカートリッジＴｃからのトナーが流入する。したがって、現像ユニット４０でのトナーの消費量に応じて、補給オーガ４８が駆動され、現像ユニット４０にトナーカートリッジＴｃから現像剤が補給される。
【００１８】
回転する感光体ドラム３１の表面は、帯電ローラ３２により帯電され、露光装置ＬＨから出射する潜像形成光により静電潜像が形成される。感光体ドラム３１上に形成された静電潜像は現像ローラ４２によりトナー像として現像される。
【００１９】
搬送ローラ対２４の用紙搬送方向下流側には、搬送ローラ対２４から送り出された用紙を転写接触部へ案内する用紙案内ガイド６３、転写ローラ６２、トナー像が転写された用紙を定着ユニット７０へ案内する搬送ガイド６５、から構成される第２の搬送ユニットとしての転写搬送ユニット６０が、開閉扉１１０を介して画像形成装置１本体に接離可能に支持されている。
転写ローラ６２には、コントローラ１１により制御される電源装置１３等から転写電圧が印加され、搬送ローラ対２４から送り出され、用紙案内ガイド６３により案内された用紙に感光体ドラム３１上のトナー像を転写する。
【００２０】
感光体ドラム３１表面の残留トナーは、クリーニングブレード３４により除去され、感光体ドラム３１を支持するハウジング内部に回収される。感光体ドラム３１の表面は、帯電ローラ３２により再帯電される。尚、クリーニングブレード３４で除去しきれず帯電ローラ３２に付着した残留物は、帯電ローラ３２に接触して回転するクリーニングローラ３３表面に捕捉され、蓄積される。
【００２１】
定着ユニット７０は一対の定着ローラ７１、７２を有し、一対の定着ローラ７１、７２の圧接領域によって定着領域が形成される。
転写部においてトナー像が転写された用紙は、トナー像が未定着の状態で搬送ガイド６５を経由して定着ユニット７０に搬送される。定着ユニット７０に搬送された記録媒体は、一対の定着ローラ７１、７２により圧着と加熱の作用でトナー像が定着される。定着トナー像が形成された用紙は、搬送ガイド７４ａ，７４ｂによってガイドされ、排出ローラ対７３から画像形成装置１上面の排出トレイ部Ｔに排出される。
【００２２】
（２）用紙搬送部の構成と動作
図２は、本実施形態に係る画像形成装置１の用紙搬送部の内部構成と用紙搬送を示す断面模式図、図３は、用紙搬送部の部分断面模式図である。以下、図面を参照しながら、画像形成装置１の用紙搬送部の構成と動作について説明する。
【００２３】
用紙搬送部は、筐体１００、開閉扉１１０、用紙搬送ユニット５０、転写搬送ユニット６０、とから構成されている。
【００２４】
（２．１）筐体
筐体１００は、後方（−Ｘ方向）に開口部を有し、開口部内部に感光体ユニット３０及び現像ユニット４０が収容されている。
筐体１００の両側側板１００ａ、１００ａの開口部側下端には、開閉扉１１０の回動中心となる第１軸受部１０１、１０１が両側側板１００ａ、１００ａの板厚方向に貫通して形成され、後述する開閉扉１１０の回動軸部１１１、１１１を回動可能に軸支している。
【００２５】
第１軸受部１０１、１０１の前方（Ｘ方向）には、第２軸受部１０２、１０２が形成され、後述する用紙搬送ユニット５０の回動軸部５３、５３を回動可能に軸支している。
第２軸受部１０２、１０２は、筐体１００の上下方向（Ｚ方向）に長穴形状とされ、第２軸受部１０２、１０２に回動可能に軸支された用紙搬送ユニット５０は、長穴の長径の範囲内で筐体１００の上下方向（Ｚ方向）に移動可能とされている。
【００２６】
第１軸受部１０１、１０１と第２軸受部１０２、１０２の上方（Ｚ方向）には、第１の位置決め部としての凹み１０３、１０３が両側側板１００ａ、１００ａの板厚方向に貫通して形成されている。凹み１０３、１０３は筐体１００の上下方向（Ｚ方向）に長穴形状に形成され、前後方向（Ｘ方向）は後述する用紙搬送ユニット５０の係止突起５４、５４の断面形状（寸法）と略一致するように設定されている。
すなわち、用紙搬送ユニット５０の係止突起５４、５４が凹み１０３、１０３に嵌入されると、係止突起５４、５４の前後方向（Ｘ方向）の側面が凹み１０３、１０３の前後方向（Ｘ方向）の内面と隙間なく当接して位置決め規制されるように構成されている。
【００２７】
凹み１０３、１０３の上方（Ｚ方向）には、第２の位置決め部としてのカギ部１０４、１０４が形成されている。カギ部１０４は、図３に示すように、テーパ部１０４ａと、固定面１０４ｂ、１０４ｃとからなり、後述する転写ローラ６２の軸受け部材６８がテーパ部１０４ａに案内されて固定面１０４ｂ、１０４ｃに位置決め規制されるように構成されている。
【００２８】
筐体１００の内部には、用紙引き出し部２２により前方（−Ｘ方向）に引き出された用紙を搬送ローラ対２４へ案内する用紙案内ガイド２３が固定され、用紙案内ガイド２３には、搬送ローラ対の一方を構成する駆動ローラ２４ａが回転可能に軸支されている。
【００２９】
（２・２）開閉扉
開閉扉１１０は、下端部に左右一対の回動軸部１１１、１１１を有し、筐体１００の両側側板１００ａ、１００ａの開口部側下端に形成された第１軸受部１０１、１０１に嵌挿されて、回動可能とされている。
【００３０】
開閉扉１１０の筐体１００と対向する内面には、下保持部１１２、１１２が左右一対に形成されている。下保持部１１２、１１２は上下方向（Ｚ方向）に長穴形状の案内溝１１２ａ、１１２ａを有し、後述する転写搬送ユニット６０に形成された下ボス部６６、６６が嵌挿されて転写搬送ユニット６０を上下方向（Ｚ方向）に移動可能に支持する。
また、下保持部１１２、１１２の上方（Ｚ方向）には、上保持部１１３、１１３が左右一対に形成されている。上保持部１１３、１１３は上下方向（Ｚ方向）に長穴形状の案内溝１１３ａ、１１３ａを有し、後述する転写搬送ユニット６０に形成された上ボス部６７、６７が嵌挿されて転写搬送ユニット６０を上下方向（Ｚ方向）に移動可能に支持する。
【００３１】
開閉扉１１０の筐体１００と対向する内面側には、案内部としての突起部１１６、１１６が左右一対に形成されている。突起部１１６、１１６は第１のテーパ部１１６ａ、１１６ａと、第１のテーパ部１１６ａに連なった第２のテーパ部１１６ｂ、１１６ｂと、第２のテーパ部１１６ｂに連なったＲ形状部１１６ｃ、１１６ｃとからなり、開閉扉１１０の開閉操作と連動して、後述する用紙搬送ユニット５０の開閉扉側に、突起部１１６、１１６と対向して設けられた突起部５５、５５と接触する。そして用紙搬送ユニット５０を第１の位置決め部としての凹み１０３、１０３へ案内する。
【００３２】
（２．３）用紙搬送ユニット
用紙搬送ユニット５０は、用紙案内ガイド５１と、搬送ローラ対２４を構成する従動ローラ２４ｂとからなる。用紙案内ガイド５１は、用紙積載板２１に積載され用紙引き出し部２２により前方（−Ｘ方向）に引き出された用紙を搬送ローラ対２４の接触部へ案内するための複数のガイドリブ５２、５２、・・・が形成された用紙案内面を有する。
従動ローラ２４ｂは、用紙案内ガイド５１の下流側（Ｚ方向）で、バネ部材Ｓ１によってガイドリブ５２、５２、・・・から用紙案内面へ突出する側へ付勢され、用紙搬送方向に対して回転自在に支持されている。
【００３３】
用紙案内ガイド５１の両側側面には、回動軸部５３、５３が左右一対に形成されている。回動軸部５３、５３は筐体１００の両側側板１００ａ、１００ａに形成された第２軸受部１０２、１０２に嵌挿され、用紙搬送ユニット５０は筐体１００に対して移動可能に構成される。
回動軸部５３、５３は円柱状に形成されており、円柱の外径は、筐体１００の上下方向（Ｚ方向）に長穴形状に形成された第２軸受部１０２、１０２の短径の幅に対して、略同等に形成されており、回動軸部５３、５３はガタつきが少ない状態で開閉扉１１０の開閉動作と連動して回動し、長穴の長径の範囲内で筐体１００の上下方向（Ｚ方向）に移動可能とされている。
なお、回動軸部５３、５３、回動軸部１１１、１１１、搬送ローラ対２４、転写ローラ６２、それらの軸は全て平行である。
【００３４】
用紙案内ガイド５１の両側側面には、係止突起５４、５４が左右一対に形成されている。係止突起５４、５４は筐体１００の両側側板１００ａ、１００ａに形成された第１の位置決め部としての凹み１０３、１０３に嵌挿され、係止突起５４、５４の左右方向（Ｘ方向）の側面が凹み１０３、１０３の前後方向（Ｘ方向）の内面と隙間なく当接して位置決め規制される。
【００３５】
用紙案内ガイド５１の用紙案内面の他面側には、左右一対に被案内部としての突起部５５、５５が開閉扉１１０の内面に形成された突起部１１６、１１６と対向して形成されている。突起部５５、５５は、開閉扉１１０の回動によって、開閉扉１１０の突起部１１６、１１６と摺接しながら移動して、用紙搬送ユニット５０が第１の位置決め部としての凹み１０３、１０３へ案内される。
【００３６】
（２．４）転写搬送ユニット
転写搬送ユニット６０は、転写搬送ハウジング６１と転写ローラ６２とか構成されている。転写搬送ハウジング６１には、搬送ローラ対２４から送り出された用紙を転写接触部へ案内する用紙案内ガイド６３、転写ローラ６２を保持する転写ローラ保持部６４、トナー像が転写された用紙を定着ユニット７０へ案内する搬送ガイド６５が一体に形成されている。
【００３７】
転写搬送ハウジング６１の用紙案内ガイド６３側の両側側面には、左右一対の下ボス部６６、６６が形成され、開閉扉１１０の下保持部１１２、１１２に設けられた上下方向（Ｚ方向）に長穴形状の案内溝１１２ａ、１１２ａに嵌挿されている。
また、転写搬送ハウジング６１の搬送ガイド６５側の両側側面には、左右一対の上ボス部６７、６７が形成され、開閉扉１１０の上保持部１１３、１１３に設けられた上下方向（Ｚ方向）に長穴形状の案内溝１１３ａ、１１３ａに嵌挿されている。
そして、転写搬送ユニット６０は、開閉扉１１０の筐体１００と対向する内面に上下方向（Ｚ方向）に移動可能に支持される。
【００３８】
転写ローラ６２は、両端部が軸受け部材６８、６８を介して転写ローラ保持部６４にバネ部材（不図示）によって感光体ドラム３１と接触する側へ付勢され、用紙搬送方向に対して回転可能に支持されている。軸受け部材６８、６８は、筐体１００に形成された第２の位置決め部としてのカギ部１０４、１０４に位置決め係止される。
【００３９】
（３）用紙搬送部の作用
このように構成される用紙搬送部は、使用者が、例えば用紙搬送部で発生した紙詰り用紙を除去する場合に、開閉扉１１０の開放動作とともに、用紙搬送ユニット５０及び転写搬送ユニット６０が筐体１００から回動して、搬送ローラ対２４の接触状態が解除される。
図４は開閉扉１１０の閉動作による用紙搬送ユニット５０の移動を説明するための部分模式図、図５は開閉扉１１０の閉動作による用紙搬送ユニット５０及び転写搬送ユニット６０の移動を説明するための全体模式図である。
【００４０】
開閉扉１１０を開放された開位置から閉位置に戻す場合、使用者が開閉扉１１０を筐体１００側へ回動させる。
開閉扉１１０の筐体１００と対向する内面には、突起部１１６、１１６が左右一対に形成されている。そして、突起部１１６、１１６の第１のテーパ部１１６ａ、１１６ａと、用紙案内ガイド５１の突起部５５、５５が接触して、用紙搬送ユニット５０が筐体１００の第２軸受部１０２、１０２に軸支された回動軸部５３、５３を回動中心として、筐体１００の閉位置へ向かって回動を開始する。
その後、開閉扉１１０の閉位置への移動に伴って、用紙搬送ユニット５０は、用紙案内ガイド５１の突起部５５、５５が、開閉扉１１０の第１のテーパ部１１６ａ、１１６ａと摺接しながら移動する（図４（ａ）参照）。
【００４１】
そして、用紙搬送ユニット５０は、用紙案内ガイド５１の両側側面に形成された係止突起５４、５４が筐体１００の両側側板１００ａ、１００ａに形成された第１の位置決め部としての凹み１０３、１０３に嵌挿される。
このとき、用紙案内ガイド５１のガイドリブ５２、５２、・・・から用紙案内面へ突出する側へ付勢されて支持されている従動ローラ２４ｂが、搬送ローラ対２４を構成する駆動ローラ２４ａと当接して接触を形成し、開閉扉１１０には、その反力が作用する。
【００４２】
そして、係止突起５４、５４は、第１のテーパ部１１６ａに連なった第２のテーパ部１１６ｂ、１１６ｂと摺接しながら、左右方向（Ｘ方向）の側面が凹み１０３、１０３の前後方向（Ｘ方向）の内面と隙間なく当接して規制されるとともに、上方（Ｚ方向）へ押し上げられ、用紙搬送ユニット５０が筐体１００の凹み１０３、１０３に位置決めされる（図４（ｂ）参照）。
尚、用紙搬送ユニット５０の回動軸部５３、５３は、筐体１００の第２軸受部１０２、１０２の長穴の長径の範囲内で筐体１００の上下方向（Ｚ方向）に移動する。
【００４３】
用紙搬送ユニット５０が筐体１００の第１の位置決め部としての凹み１０３、１０３に位置決めされるタイミングで、開閉扉１１０の内面側に上下方向（Ｚ方向）に移動可能に支持された転写搬送ユニット６０は、転写ローラ６２の両端部に設けられた軸受け部材６８、６８が、筐体１００に形成された第２の位置決め部としてのカギ部１０４、１０４のテーパ部１０４ａ、１０４ａと接触する（図５（ａ）参照）。
【００４４】
その後、開閉扉１１０の閉位置への移動に伴って、転写ローラ６２の軸受け部材６８、６８が、テーパ部１０４ａ、１０４ａと接触しながら摺動して移動して、カギ部１０４、１０４の固定面１０４ｂ、１０４ｃに位置決め規制される（図５（ｂ）参照）。
このとき、バネ部材（不図示）によって感光体ドラム３１と接触する側へ付勢されている転写ローラ６２は、感光体ドラム３１と接触して転写部を形成し、開閉扉１１０には、その接触による反力が作用する。
【００４５】
そして、突起部５５、５５が、開閉扉１１０の第２のテーパ部１１６ｂに連なったＲ形状部１１６ｃ、１１６ｃによって支持され、用紙搬送ユニット５０が筐体１００の凹み１０３、１０３に保持される（図４（ｃ）参照）。
【００４６】
このようにして、開閉扉１１０を開放された開位置から閉位置に戻す場合、用紙搬送部を構成する、第１の搬送ユニットとしての用紙搬送ユニット５０と、第２の搬送ユニットとしての転写搬送ユニット６０が、それぞれ筐体１００に係止されて開閉扉に反力を及ぼす接触をするタイミングが、同時となることがない。
すなわち、開閉扉１１０の閉位置への移動に際し、第１の搬送ユニットとしての用紙搬送ユニット５０が筐体１００の第１の位置決め部としての凹み１０３、１０３に係合して位置決めされた後に、第２の搬送ユニットとしての転写搬送ユニット６０が筐体１００の第２の位置決め部としてのカギ部１０４、１０４に係合して位置決めされる。そのために、開閉扉１１０に作用する接触反力が分散されて、開閉扉１１０の閉操作を容易に行うことができる。
また、開閉扉１１０の閉位置への移動に際し、用紙搬送ユニット５０及び転写搬送ユニット６０から受ける反力が分散されて、開閉扉の破損を抑制することができる。
【００４７】
開閉扉１１０の内面側に形成された突起部１１６、１１６は、第１のテーパ部１１６ａ、１１６ａと、第１のテーパ部１１６ａに連なった第２のテーパ部１１６ｂ、１１６ｂと、第２のテーパ部１１６ｂに連なったＲ形状部１１６ｃ、１１６ｃとからなり、対向して形成されている用紙搬送ユニットの突起部５５、５５と摺接しながら段階的に移動する。
そのために、用紙搬送部の開閉機構を安価な構成で実現でき、開閉扉の閉動作において、接触抵抗を抑制し、開閉扉１１０の閉操作を容易に行うことができる。
また、開閉扉１１０の開動作を開始するときに、用紙搬送ユニット５０の突起部５５、５５を下方から押し上げている開閉扉１１０の第２のテーパ部１１６ｂに連なったＲ形状部１１６ｃ、１１６ｃが、突起部５５、５５と摺擦しながら移動するために、接触抵抗を抑制し、開閉扉１１０の開操作を容易に行うことができる。
【符号の説明】
【００４８】
１・・・画像形成装置
１０・・・制御ユニット
２０・・・給紙ユニット
２４・・・搬送ローラ対
２４ａ・・・駆動ローラ
２４ｂ・・・従動ローラ
３０・・・感光体ユニット
４０・・・現像ユニット
５０・・・用紙搬送ユニット
５１・・・用紙案内ガイド
５２・・・ガイドリブ
５３・・・回動軸部（用紙案内ユニット）
５４・・・係止突起
５５・・・突起部（被案内部）
６０・・・転写搬送ユニット
６１・・・転写搬送ハウジング
６２・・・転写ローラ
６３・・・用紙案内ガイド
６４・・・転写ローラ保持部
６５・・・搬送ガイド
６６・・・下ボス部
６７・・・上ボス部
６８・・・軸受け部材
７０・・・定着装置
１００・・・筐体
１０１・・・第１軸受部
１０２・・・第２軸受部
１０３・・・凹み
１０４・・・カギ部
１０４ａ・・・テーパ部
１０４ｂ、１０４ｃ・・・固定面
１１０・・・開閉扉
１１１・・・回動軸部（開閉扉）
１１２・・・下保持部
１１３・・・上保持部
１１６・・・突起部（案内部）
１１６ａ・・・第１のテーパ部
１１６ｂ・・・第２のテーパ部
１１６ｃ・・・Ｒ形状部
Ｓ１・・・バネ部材
【図１】
2014139601.tif 000003
【図２】
2014139601.tif 000004
【図３】
2014139601.tif 000005
【図４】
2014139601.tif 000006
【図５】
2014139601.tif 000007